(57)【要約】【課題】気密性を維持しつつ、蓋体の開閉トルクを低いレベルにすることが可能な容器を提供すること。【解決手段】開口部２１を有する容器本体２０と、開口部２１を覆う蓋体３０と、蓋体３０の天板３３の下面３３ａに取り付けられた板状のパッキン４０とを有し、閉蓋時にパッキン４０の周端部が開口部２１の上端面に密着当接される容器である。パッキン４０の周端部から内方の位置及び該周端部の位置に、パッキン４０の上面から起立する第１のリブ４１及び第２のリブ４２をそれぞれ設ける。開蓋状態では第２のリブ４２を蓋体３０から離間させておくと共に、閉蓋過程においては第１のリブ４１が蓋体３０の天板３３の下面３３ａに当接した状態下で、第２のリブ４２が蓋体３０の天板３３の下面３３ａ又は蓋体３０の周壁内面に当接するように構成した。【選択図】図４
2008265799.tif 000002
【特許請求の範囲】
【請求項１】
開口部を有する容器本体と、該開口部を覆う蓋体と、該蓋体の天板の下面に取り付けられた板状のパッキンとを有し、閉蓋時に該パッキンの周端部が該開口部の上端面に密着当接される容器であって、
パッキンの周端部から内方の位置及び該周端部の位置に、該パッキンの上面から起立する第１のリブ及び第２のリブをそれぞれ設け、開蓋状態では第２のリブを蓋体から離間させておくと共に、閉蓋過程においては第１のリブが蓋体の天板の下面に当接した状態下で第２のリブが蓋体の天板の下面又は蓋体の周壁内面に当接するように構成した容器。
【請求項２】
開蓋状態における第１のリブの上端位置と、第２のリブの上端位置とを一致させ、且つ
蓋体の天板の下面における第１のリブ４１と対向する位置に、下方に垂下する段差部を設けた請求項１記載の容器。
【請求項３】
段差部が、蓋体と一体に形成されているか、又は蓋体の天板の下面に別部材を取り付けて形成されている請求項２記載の容器。
【請求項４】
開蓋状態における第１のリブの上端を、第２のリブの上端よりも上方に位置させた請求項１記載の容器。
【請求項５】
第１のリブ及び第２のリブがパッキンの全周にわたって連続に又は不連続に形成されている請求項１ないし４の何れかに記載の容器。
【請求項６】
容器本体に対して蓋体を一定の位置で閉止するための位置決め機構を有する請求項１ないし５の何れかに記載の容器。
【発明の詳細な説明】
【技術分野】
【０００１】
本発明は、蓋体の天板の内面に板状のパッキンが取り付けられた容器に関する。
【背景技術】
【０００２】
容器本体の開口部を覆う蓋体を、容器本体に対して常に一定の位置で閉止するようにした位置合わせ機構を有する容器が知られている。位置合わせ機構を有していない通常の容器では、蓋体による密閉状態が確実になる位置まで蓋体を螺合させればよいが、位置合わせ機構を有する容器では、蓋体が容器本体に対して一定の位置となったときに十分な密閉状態が実現される必要がある。このため従来の位置合わせ機構を有する容器では、例えば図８に示すように、蓋体１３０の天板１３３の下面に、樹脂成形された板状のパッキン１４０を取り付けて、十分な密閉状態を確保している。パッキン１４０の上面における周端部にはＯリング１４０Ａが取り付けられており、閉蓋によりＯリング１４０Ａが弾性変形することで、パッキン１４０の周端部１４０Ｂが容器本体（図示せず）の開口部１２１の上端面に密着当接し、気密性が確保される。
【０００３】
しかし上述の容器では、Ｏリングを用いていることに起因して、容器を構成する部材の数が多くなってしまう。更に、容器の組立工数が増えてしまう。また、Ｏリングを用いないで成型パッキンのみで気密性を確保しようとすると、成型パッキンの当たりを強くするためにトルクをきつく設定する必要があり、使い勝手が悪くなってしまう。
【０００４】
上述の容器とは別に、特許文献１には、位置合わせ機構を有する容器において、容器本体とキャップとの間に、特定の構造を有する栓装置を配したものが提案されている。この栓装置は、容器本体の口部の外周面に位置を合わせて装着されるものであり、口部に螺着される筒状のネジ筒部と、口部に密着して口部を閉止する弾性密封部とを、弾力的に変形しうる弾性変形部で連結してなるものである。ネジ筒部は剛性体で形成され、弾性密封部及び弾性変形部は弾性体で形成され、これらは一体化されて一個の部品として形成されている。
【０００５】
同文献に記載の容器においては、Ｏリング等の部材は使用しないものの、栓装置におけるネジ筒部と弾性密着部とは、別の材料から構成されるものなので、該栓装置を一体的に製造する場合には、二色成形法を用いる必要がある。一体的に製造しない場合には、それぞれの部材を別個に製造しておき、その後に接合一体化させる工程が必要である。何れの製造方法を採用する場合でも、製造工程が煩雑であり、製造経費が割高になってしまう。
【０００６】
【特許文献１】特開平９−２４０７０５号公報
【発明の開示】
【発明が解決しようとする課題】
【０００７】
従って本発明の目的は、前述した従来技術が有する欠点を解消し得る容器を提供することにある。
【課題を解決するための手段】
【０００８】
本発明は、開口部を有する容器本体と、該開口部を覆う蓋体と、該蓋体の天板の下面に取り付けられた板状のパッキンとを有し、閉蓋時に該パッキンの周端部が該開口部の上端面に密着当接される容器であって、
パッキンの周端部から内方の位置及び該周端部の位置に、該パッキンの上面から起立する第１のリブ及び第２のリブをそれぞれ設け、開蓋状態では第２のリブを蓋体から離間させておくと共に、閉蓋過程においては第１のリブが蓋体の天板の下面に当接した状態下で第２のリブが蓋体の天板の下面又は蓋体の周壁内面に当接するように構成した容器を提供するものである。
【発明の効果】
【０００９】
本発明によれば、気密性を維持しつつ、蓋体の開閉トルクを低いレベルにすることが可能な容器が提供される。また本発明の容器は、Ｏリング等の封止手段を用いず、容器を構成する部品の数を少なくすることで、経済性に優れたものとできる。
【発明を実施するための最良の形態】
【００１０】
以下本発明を、その好ましい実施形態に基づき図面を参照しながら説明する。図１には、本発明の一実施形態の容器の分解斜視図が示されている。図２は、図１に示す容器の閉蓋状態での縦断面図である。本実施形態の容器１０は、クリーム状の粘稠な流動体の収容に特に好適に用いられるものである。図１に示すように、本実施形態の容器１０は、容器本体２０と、蓋体３０と、蓋体に取り付けられた板状のパッキン４０とを有している。容器１０においては、容器本体２０内に内容物を収容した後に、容器本体２０の開口部２１の外周面に形成された雄ネジ２２と、蓋体３０の周壁３１の内周面に形成された雌ネジ３２とを螺合させる。螺合により、蓋体２０に取り付けられたパッキン４０の周端部は、容器本体２０の開口部２１の上端面に密着当接し、容器内の気密性が確保される。
【００１１】
図２に示すように、容器本体２０は、カップ状の内体２３と、該内体２３よりも一回り大きいカップ状の外体２４とを備えた二重構造になっている。内体２３はその横断面が円形になっている。一方、外体２４の横断面は、四隅が丸みを帯びた四角形になっている。また四角形の各辺は、外方に向けて凸形状の緩やかな曲線となっている。内体２３と外体２４とは、嵌合部２５において嵌合して、両者一体の状態が維持されている。
【００１２】
内体２３は、外体２４の開口端から上方に向けて延出した円筒状の部位を有しており、当該部位が容器本体２０の開口部２１を成している。開口部２１の外周面には、先に述べたとおり雄ネジ２２が形成されている。図１に示すように、開口部２１に形成された雄ネジ２２の下端部には、閉蓋時における容器本体２０と蓋体３０との位置合わせのための嵌合部２６が形成されている。嵌合部２６は、開口部２１における１８０度対向する位置に一対形成されている。嵌合部２６は一対の凸部２７Ａ，２７Ｂとその間に位置する凹部２８とで構成されている。２つの凸部２７Ａ，２７Ｂのうち、蓋体３０を螺合によって閉蓋する方向に沿って手前側に位置する凸部２７Ａは、奥側に位置する凸部２７Ｂよりも若干小さい形状になっている。
【００１３】
蓋体３０は、平面視して四隅が丸みを帯びた四角形となっている天板３３と、天板３３の周端から下方へ垂下したスカート部３４とを有している。スカート部３４は、その横断面の形状が、容器本体２０における外体２４の横断面の形状と同じになっている。つまり、四隅が丸みを帯びた四角形であり、四角形の各辺は、外方に向けて凸形状の緩やかな曲線となっている。スカート部３４の内壁における下端には、嵌合凸部３５が形成されている。嵌合凸部３５は、スカート部３４における１８０度対向する位置に一対形成されている。容器本体２０の開口部２１に蓋体３０を螺合して閉蓋した状態においては、嵌合凸部３５が、容器本体２０に設けられた嵌合部２６における一方の凸部２７Ａを乗り越えて、２つの凸部２７Ａ，２７Ｂ間の凹部２８に嵌合する。これによって、閉蓋状態における容器本体２０と蓋体３０との位置決めがなされる。つまり、嵌合凸部３５と嵌合部２６によって、容器本体２０に対して蓋体３０を一定の位置で閉止するための位置決め機構が形成される。
【００１４】
スカート部３４よりも中心寄りの位置においては、天板３３の下面から周壁３１が垂下している。周壁３１は円筒状のものであり、その内周面に上述した雌ネジ３２が形成されている。周壁３１よりも更に中心寄りの位置には、天板３３の下面から嵌合部３６が垂下している。嵌合部３６は円筒状のものであり、先に述べた周壁３１と同心の位置にある。嵌合部３６は、後述するパッキン４０をはめ合いによって蓋体３０に取り付ける部位である。
【００１５】
パッキン４０は、図１に示すように平らな円盤状である。パッキン４０の直径は、蓋体３０における周壁３１の内径よりも若干小さくなっている。また、パッキン４０の直径は、容器本体２０の開口部２１の直径とほぼ同様になっている。パッキン４０は、樹脂製の成形物からなり、外力によって変形可能になっている。例えばパッキン４０はポリエチレンやポリプロピレン等のポリオレフィン系樹脂から構成されている。
【００１６】
パッキン４０の周端部から離間した内方の位置には、パッキン４０の上面から起立する第１のリブ４１が設けられている。第１のリブ４１はパッキン４０の全周にわたって環状に連続に形成されている。また、パッキン４０の周端部の位置には、パッキン４０の上面から起立する第２のリブ４２が設けられている。即ち、第１のリブ４１は第２のリブ４２の内側に設けられている。そして、第２のリブ４２もパッキン４０の全周にわたって環状に連続に形成されている。第１のリブ４１と第２のリブ４２は、同心の位置にある。開蓋状態においては、第１のリブ４１の上端位置と、第２のリブ４２の上方位置とは一致している。
【００１７】
更に、パッキン４０の中心寄りの位置には、先に述べた蓋体３０に形成された嵌合部３６とはめ合い構造になっている筒状嵌合部４３が設けられている。筒状嵌合部４３は、先に述べた第１のリブ４１及び第２のリブと同心の位置にある。
【００１８】
図３には、開蓋状態での蓋体３０の要部拡大断面図が示されている。蓋体３０を閉じる前の状態においては、パッキン４０における第２のリブ４２は、蓋体３０の天板３３の下面３３ａ及び周壁３１から離間している。また第１のリブ４１は、天板３３の下面３３ａから離間している。なお、同図から明らかなように、蓋体３０の天板３３の下面３３ａにおける第１のリブ４１と対向する位置には、下方に垂下する凸部３７によって段差部が設けられている。本実施形態では、段差部を、蓋体と一体にて成形した天板３３の下面３３ａに設けたので、部品点数が減少し組み立てが容易となった。
【００１９】
図４（ａ）及び（ｂ）には、蓋体３０の閉蓋過程が示されている。容器本体２０の開口部２１に蓋体３０を螺合していくと、パッキン４０の周端部の下端４４と開口部２１の上端面とが当接して、該下端４４に上方へ向けた力が加わる。この力によってパッキン４０の周端部及びその近傍の部位が弾性変形して上方へ押し上げられる。それによってパッキン４０の第１のリブ４１及び第２のリブ４２が上方に押し上げられる。ところで、上述のとおり、開蓋状態においては、第１のリブ４１の上端位置と、第２のリブ４２の上方位置とが一致しているので、第１のリブ４１及び第２のリブ４２が上方に押し上げられていく過程においては、先ず図４（ａ）に示すように第１のリブ４１が、垂下する凸部３７で形成された段差部に当接する。この状態においては、第２のリブ４２は、蓋体３０の天板３３の下面３３ａ及び周壁３３から離間した状態になっている。
【００２０】
図４（ａ）に示す状態から更に螺合が進行すると、パッキン４０の周端部の下端４４に更に力が加わり、パッキン４０の周端部及びその近傍の部位は更に弾性変形して上方に押し上げられる。この状態、即ち第１のリブ４１が、蓋体３０の天板３３の下面３３ａの凸部３７に当接した状態下では、パッキン４０の第１のリブ４１の上方への押し上げは、蓋体３０の凸部３７によって規制されるので、第１のリブ４１と凸部３７との当接部が梃子の支点として作用し、パッキン４０の周端部の下端４４と容器本体２０の開口部２１の上端面とが強く密着当接する。それによって容器内の気密性が確実なものとなる。
【００２１】
図４（ａ）に示す閉蓋状態でも容器内の気密性は十分に保たれるが、容器を落下させたり、容器に振動等の外力を加えたりした場合に、パッキン４０の周端部の下端４４と容器本体２０の開口部２１の上端面との位置ずれが生じ、気密性が低下するおそれがある。そこで本実施形態においては、図４（ａ）に示す状態から更に螺合が進行して、図４（ｂ）に示す閉蓋完了状態、つまり、容器本体２０と蓋体３０との位置合わせ完了状態において、第２のリブ４２が、蓋体３０の天板３３の下面３３ａ又は蓋体３０の周壁３１の内面に当接するようにしている（なお同図では、第２のリブ４２が、蓋体３０の天板３３の下面３３ａ及び蓋体３０の周壁３１の内面の双方に当接している）。図４（ｂ）に示す状態で閉蓋が完了することで、第２のリブ４２の位置が固定される。それによって、第２のリブ４２の反対側に位置する部位である下端４４と容器本体２０の開口部２１の上端面とが安定的に当接し、容器に外力が加わっても当該当接部位の位置ずれが起こりにくくなり、気密性が確保される。
【００２２】
図５は、図１ないし図４に示す実施形態の別の例を示している。図１ないし図４に示す実施形態では、蓋体３０の天板３３の下面３３ａに、凸部３７からなる段差部を設けた。この凸部は蓋体３０と一体成形されたものである。つまり、凸部３７からなる段差部は蓋体３０と一体に形成されている。これに代えて、図５に示す実施形態においては、平らな状態の天板３３の下面における第１のリブ４１の対向位置に、蓋体３０とは別体に形成したリブ支え３８を下面３３ａから突出するように取り付けることで段差部を形成している。本実施形態によっても、図１ないし図４に示す実施形態と同様に、低トルクの締め付けであっても、高い気密性が得られる。また、リブ支え３８を蓋体とは別体としたので、パッキン４０の材質が内容物などに起因して制限されるときにも弾性の異なる材料を選択することで締め付け力を調節でき、気密性の向上と締め付け力の低減の両立を容易に実現することができる。また、段差部の幅を第１のリブ４１より充分広いものとしているので、成形品の出来具合のばらつきによらず、確実に段差部とリブ４１とを接触させることができる。
【００２３】
図６及び図７には、本発明の別の実施形態が示されている。これらの実施形態に関し、特に説明しない点については、先の実施形態に関しての説明が適宜適用される。また、図６及び図７において、図１ないし図５と同じ部材に同じ符号を付してある。
【００２４】
図６は、開蓋状態での蓋体３０の要部拡大断面図である。蓋体３０を閉じる前の状態においては、パッキン４０における第２のリブ４２は、蓋体３０の天板３３の下面３３ａ及び周壁３３から離間している。第１のリブ４１は、天板３３の下面３３ａから離間している。また第１のリブ４１の上端は、第２のリブの上端よりも上方に位置している。更に同図から明らかなように、蓋体３０の天板３３の下面３３ａは平坦であり、水平面とほぼ一致している。
【００２５】
図７（ａ）及び（ｂ）には、図６に示す蓋体３０の閉蓋過程が示されている。容器本体２０の開口部２１に蓋体３０を螺合していくと、パッキン４０の周端部の下端４４に上方へ向けた力が加わり、この力によってパッキン４０の周端部及びその近傍の部位が弾性変形して上方に押し上げられる。それによって、パッキン４０の第１のリブ４１及び第２のリブ４２が上方に押し上げられる。ところで、上述のとおり、開蓋状態においては、第１のリブ４１の上端は、第２のリブ４２の上端よりも上方に位置し、且つ蓋体３０の天板３３の下面３３ａは水平面とほぼ一致しているので、第１のリブ４１及び第２のリブ４２が上方に押し上げられていく過程においては、先ず図７（ａ）に示すように第１のリブ４１が、天板３３の下面３３ａに当接する。この状態においては、第２のリブ４２は、蓋体３０の天板３３の下面３３ａ及び周壁３３から離間した状態になっている。
【００２６】
図７（ａ）に示す状態から更に螺合が進行すると、パッキン４０の周端部及びその近傍の部位が更に弾性変形して上方に押し上げられる。この場合、パッキン４０の第１のリブ４１の上方への押し上げは、天板３３の下面３３ａによって規制される。その結果、第１のリブ４１と天板３３の下面３３ａとの当接部が梃子の支点として作用し、パッキン４０の周端部の下端４４と容器本体２０の開口部２１の上端面とが強く密着当接する。それによって容器内の気密性が確実なものとなる。また、蓋体の閉開時、特に、容器本体２０と蓋体３０との位置合わせ時のトルクが過大になることはない。
【００２７】
更に螺合が進行し、図７（ｂ）に示す閉蓋完了状態においては、第２のリブ４２が、蓋体３０の天板３３の下面３３ａ又は蓋体３０の周壁３１の内面に当接する（なお同図では、第２のリブ４２が、蓋体３０の天板３３の下面３３ａ及び蓋体３０の周壁３１の内面の双方に当接している）。図７（ｂ）に示す状態で閉蓋が完了することで、第２のリブ４２の位置が固定される。それによって、第２のリブ４２の反対側に位置する部位である下端４４と容器本体２０の開口部２１の上端面とが安定的に当接し、容器に外力が加わっても当該当接部位の位置ずれが起こりにくくなり、気密性が確実に確保される。
【００２８】
以上、本発明をその好ましい実施形態に基づき説明したが、本発明は前記実施形態に制限されない。例えば前記の各実施形態においては、閉蓋完了時に、第２のリブ４２は、蓋体３０の天板３３の下面３３ａ及び蓋体３０の周壁３１の内面の双方に当接するようになっているが、これに代えて第２のリブ４２を、蓋体３０の天板３３の下面３３ａ及び蓋体３０の周壁３１の内面の何れか一方にのみ当接するようにしてもよい。
【００２９】
また前記の各実施形態においては、開蓋状態において、第１のリブ４１及び第２のリブ４２の双方が蓋体３０の天板３３の下面３３ａから離間していたが、第１のリブ４１に関しては、蓋体の開閉トルクが過度に高くならない範囲において、開蓋状態で天板３３の下面に当接していてもよい。
【００３０】
また、前記の各実施形態においては、第１のリブ４１及び第２のリブ４２はパッキン４０の全周にわたって連続に形成されていたが、これに代えてこれら双方のリブ又は何れか一方のリブを不連続に形成してもよい。
【００３１】
さらに、容器の形状、構造については、実施形態に示したものに限られないことは無論である。例えば、容器本体の形状は角柱状でなく円柱状でも良い。また、外体と内体とに分かれず一体で成形されるものでもよい。
【図面の簡単な説明】
【００３２】
【図１】本発明の一実施形態の容器を示す分解斜視図である。
【図２】図１に示す容器の閉蓋状態での縦断面図である。
【図３】開蓋状態での蓋体の要部を拡大して示す断面図である。
【図４】閉蓋過程での蓋体の要部を拡大して示す断面図である。
【図５】本発明の別の実施形態における閉蓋完了状態での蓋体の要部を拡大して示す断面図（図４相当図）である。
【図６】本発明の更に別の実施形態における開蓋状態での蓋体の要部を拡大して示す断面図（図３相当図）である。
【図７】本発明の更に別の実施形態における閉蓋過程での蓋体の要部を拡大して示す断面図（図４相当図）である。
【図８】従来の容器における閉蓋状態での蓋体の要部を拡大して示す断面図である。
【符号の説明】
【００３３】
１０  容器
２０  容器本体
３０  蓋体
４０  パッキン
【図１】
2008265799.tif 000003
【図２】
2008265799.tif 000004
【図３】
2008265799.tif 000005
【図４】
2008265799.tif 000006
【図５】
2008265799.tif 000007
【図６】
2008265799.tif 000008
【図７】
2008265799.tif 000009
【図８】
2008265799.tif 000010